(57)【要約】 【課題】  発光素子から出射される光束のうち、強度が最も大きい光を、対物レンズの中心に入射させることによって、再生特性および記録特性を向上することができる光ピックアップ装置の製造方法を提供する。【解決手段】  受発光一体型素子１４を基準軸線１２に垂直な軸線回りに角変位させて受発光一体型素子１４の姿勢を調整して光ピックアップ装置１１を組立てることによって、受発光一体型素子１４から出射される光束のうち、強度が最も大きい光が対物レンズ１３の中心を通過するように調整することができる。【選択図】      図１
2007200380.tif 000002
【特許請求の範囲】
【請求項１】
予め定める基準軸線と、対物レンズの光軸および発光素子の出射光軸とが略一致するように対物レンズおよび発光素子が設けられ、発光素子から出射される光束を対物レンズによって光記録媒体の情報記録面に集光させて光記録媒体に情報を記録し、または光記録媒体に記録される情報を読取る光ピックアップ装置の製造方法であって、
発光素子から出射される光束のうち、強度が最も大きい光が対物レンズの中心を通過するように、発光素子を基準軸線に対して垂直な軸線回りに角変位させて、発光素子の姿勢を調整して組立てることを特徴とする光ピックアップ装置の製造方法。
【請求項２】
発光素子から出射された光束が、対物レンズの光軸上で集光するように、発光素子を基準軸線に略垂直な方向にスライド変位させて、発光素子の位置を調整して組立てることを特徴とする請求項１記載の光ピックアップ装置の製造方法。
【請求項３】
対物レンズは、対物レンズを支持するレンズホルダを介してハウジングに支持され、
レンズホルダは、ハウジングと一体的に形成されることを特徴とする請求項１または２記載の光ピックアップ装置の製造方法。
【請求項４】
レンズホルダは、ハウジングの予め定める基準位置に着脱可能に設けられることを特徴とする請求項１または２記載の光ピックアップ装置の製造方法。
【請求項５】
対物レンズを通過した光束が、光記録媒体が配置されるべき仮想平面上で集光するように、発光素子を基準軸線に沿うようにスライド変位させて、発光素子の位置を調整して組立てることを特徴とする請求項１〜４のいずれか１つに記載の光ピックアップ装置の製造方法。
【請求項６】
発光素子から出射された光束を受光する受光手段の受光状態に基づいて、発光素子の姿勢を調整することを特徴とする請求項１〜５のいずれか１つに記載の光ピックアップ装置の製造方法。
【請求項７】
請求項１〜６のいずれか１つに記載の光ピックアップ装置の製造方法によって製造されることを特徴とする光ピックアップ装置。
【請求項８】
請求項７記載の光ピックアップ装置を備えることを特徴とする電子機器。
【発明の詳細な説明】
【技術分野】
【０００１】
本発明は、光ピックアップ装置の製造方法ならびに光ピックアップ装置および電子機器に関する。
【背景技術】
【０００２】
図１０は、従来の光ピックアップ装置１を模式的に示す断面図である。光ピックアップ装置１は、たとえばコンパクトディスク（略称ＣＤ）およびデジタルバーサタイルディスク（略称ＤＶＤ）などの光記録媒体２に対して情報を記録し、光記録媒体２に記録される情報を再生する光記録媒体記録再生装置に備えられる。
【０００３】
光ピックアップ装置１は、光を出射する光源と光記録媒体２からの戻り光を受光する受光素子とを含む受発光一体型素子３と、受発光一体型素子３から出射された光を平行光に変換するコリメートレンズ４と、コリメートレンズ４からの光を反射して対物レンズ５に導く立上ミラー６と、立上ミラー６からの光を光記録媒体２の情報記録面に集光する対物レンズ５と、立上ミラー６と対物レンズ５との間に配置される収差補正用液晶素子７とを含んで構成される。対物レンズ５はレンズホルダ８に支持される。光ピックアップ装置１において、前述の各光学部材は、ハウジング９内に収容される。
【０００４】
受発光一体型素子３から出射された発散光は、コリメートレンズ４に入射して平行光に変換された後、立上ミラー６によって対物レンズ５に導かれるように反射される。立上ミラー６によって反射された光は、対物レンズ５に入射する前に収差補正用液晶素子７を透過し、収差補正用液晶素子７の液晶の複屈折を利用して光記録媒体２の傾きおよび厚みのばらつきなどによって発生する収差が補正される。収差補正用液晶素子７によって収差が補正された光は、対物レンズ５を通過することによって、平行光が収束光とされ、光記録媒体２の情報記録面に集光される。
【０００５】
光記録媒体２の情報記録面に集光され、光記録媒体２から反射される反射光は、再び対物レンズ５を通過して戻るときに平行光となり、立上ミラー６で反射され、コリメートレンズ４を通過して受発光一体型素子３に戻る。受発光一体型素子３に戻った戻り光は、受発光一体型素子３の光出射側表面に形成される回折格子３ａで分光されて受発光一体型素子３に備わる受光素子に入射する。受光素子は、入射した光によって光信号を取得し、取得した光信号を電気信号に変換する。この電気信号は、情報の再生および記録ならびにサーボ信号などとして利用される。
【０００６】
このような光ピックアップ装置１では、収差補正用液晶素子７が設けられ、収差補正用液晶素子７によって、光記録媒体２の傾きおよび厚みのばらつきなどの原因で発生する収差が補正される。この収差補正用液晶素子７では、光記録媒体２の傾きおよび厚みのばらつき以外の要因で発生する収差を補正することができない。たとえば、対物レンズ５に入射する光の光軸の傾きによってコマ収差を発生することがあり、このようなコマ収差についても補正されることが望まれる。
【０００７】
対物レンズ５に入射する光の光軸の傾きによって発生するコマ収差を補正することを目的として、対物レンズに入射する光の光軸と、対物レンズの軸線とが成す角度を調整する光ピックアップ装置が提案されている（たとえば、特許文献１および２参照）。特許文献１に開示される光ピックアップ装置では、受発光一体型素子が光源からの出射光軸方向であるＺ軸方向と、Ｚ軸方向に垂直なＸ−Ｙ平面内でスライド移動されて、受発光一体型素子の位置が調整される。また受発光一体型素子は、受発光一体型素子の発光中心を通り、Ｚ軸方向に平行な仮想軸線を回転軸として回転される。受発光一体型素子は、このようなスライド移動と回転とによって、ハウジングに対する取付け位置を調整される。
【０００８】
特許文献１に開示される光ピックアップ装置では、たとえば図１０で示す光ピックアップ装置と同一の光学部材が設けられる場合、受発光一体型素子をＸ−Ｙ平面内でスライド移動させて位置調整することによって、コリメートレンズへの入射光の入射位置が変化し、受発光一体型素子から出射され、コリメートレンズに入射する光の入射角が変化する。これによって、コリメートレンズから出射される光の出射角が変化する。コリメートレンズから出射された光は、立上ミラーおよび収差補正用液晶素子を介して対物レンズに入射する。このとき、対物レンズに入射する光は、コリメートレンズから出射される光の出射角が変化することによって入射角が変化する。このように、特許文献１に開示される光ピックアップ装置によれば、対物レンズに入射する光の入射角を変化させ、コマ収差が生じないような入射角となるように調整することができるので、光記録媒体の情報記録面に光束が集光されるときに発生するコマ収差を補正することができる。
【０００９】
また特許文献２では、対物レンズを支持するレンズホルダをハウジングに固定するときに、レンズホルダのハウジングに対する取付け位置を調整する方法が開示されている。特許文献２に開示される技術では、対物レンズに入射する光束の光軸と、対物レンズの軸線とが成す角度が変化するように対物レンズの姿勢を調整することによって、対物レンズに入射する光の入射角度を変化させ、光記録媒体の情報記録面に光束が集光されるときに発生するコマ収差などの収差を補正することができる。
【００１０】
【特許文献１】特開平１１−３０６５７５号公報
【特許文献２】特許第３６３７６９６号公報
【発明の開示】
【発明が解決しようとする課題】
【００１１】
光ピックアップ装置では、予め定める基準軸線と、発光素子の出射光軸および光学部材の光軸とが一致していることが好ましいけれども、理想的な設計と実際の設計との誤差、組立時に生じる部品公差などの誤差などによって、基準軸線と光軸とが僅かにずれを生じている場合がある。このような基準軸線と光軸との僅かなずれによって、対物レンズに入射する光束が対物レンズ中心において最大強度とならず、再生特性および記録特性に影響を与える。
【００１２】
高倍速で光記録媒体に情報を記録する光ピックアップ装置では、薄型のノート型パーソナルコンピュータに搭載される光ピックアップ装置などの従来の光ピックアップ装置よりも、ノイズに対する電気信号の比率であるＳＮ比を大きくし、記録性能および再生性能を向上させるために、対物レンズに入射する光束のうち、対物レンズの中心を通過する光が最大強度となるようにすることが求められる。高倍速で光記録媒体に情報を記録する光ピックアップ装置では、光ピックアップ装置による光記録媒体への記録速度が高く、光記録媒体に集光する光束の光量を所定量とするための時間が短くなる。したがって、効率よく光記録媒体に集光する光束の光量を最適化して記録品位を高めるためには、対物レンズへの入射光が対物レンズの中心において最大強度となるように調整することが求められる。
【００１３】
また車両用ナビゲーション装置に備えられる光ピックアップ装置では、振動などによって光記録媒体に集光される光のスポットの位置変動が生じやすく、この位置変動によって、光記録媒体の情報記録面に形成され情報が記録される案内溝であるグルーブに対して照射される光の強度が低下するおそれがある。したがって、車両用ナビゲーション装置に備えられる光ピックアップ装置においても性能を一層高めるためには、対物レンズの中心を通過する光が最大強度となるように設定し、記録媒体に集光される光束のスポットの位置変動が生じても光記録媒体の情報記録面のグルーブに照射される光の強度が低下しないことが求められる。
【００１４】
特許文献１および２に開示される光ピックアップ装置では、発光素子をスライド移動させること、または対物レンズを傾斜させることによって収差を補正することができるけれども、対物レンズへの入射光が対物レンズの中心において最大強度となるような調整はされていない。
【００１５】
本発明の目的は、発光素子から出射される光束のうち、強度が最も大きい光を対物レンズの中心に入射させることによって、再生特性および記録特性を向上することができる光ピックアップ装置を製造することができる製造方法ならびに光ピックアップ装置および電子機器を提供することである。
【課題を解決するための手段】
【００１６】
本発明は、予め定める基準軸線と、対物レンズの光軸および発光素子の出射光軸とが略一致するように対物レンズおよび発光素子が設けられ、発光素子から出射される光束を対物レンズによって光記録媒体の情報記録面に集光させて光記録媒体に情報を記録し、または光記録媒体に記録される情報を読取る光ピックアップ装置の製造方法であって、
発光素子から出射される光束のうち、強度が最も大きい光が対物レンズの中心を通過するように、発光素子を基準軸線に対して垂直な軸線回りに角変位させて、発光素子の姿勢を調整して組立てることを特徴とする光ピックアップ装置の製造方法である。
【００１７】
本発明に従えば、発光素子を基準軸線に対して垂直な軸線回りに角変位させて、発光素子の姿勢を調整して光ピックアップ装置を組立てることによって、発光素子を基準軸線に対して垂直な軸線回りに角変位させて発光素子の姿勢調整が発光素子から出射される光束のうち、強度が最も大きい光が対物レンズの中心を通過するように調整することができるので、対物レンズの中心を通過し、強度が最も大きい光を、光記録媒体の情報記録面に集光させることができる光ピックアップ装置を製造することができる。
【００１８】
また本発明は、発光素子から出射された光束が、対物レンズの光軸上で集光するように、発光素子を基準軸線に略垂直な方向にスライド変位させて、発光素子の位置を調整して組立てることを特徴とする。
【００１９】
本発明に従えば、発光素子を基準軸線に略垂直な方向にスライド変位させて発光素子の位置を調整して光ピックアップ装置が組立てられることによって、発光素子から出射された光束が、対物レンズの光軸上で集光するように、対物レンズへの入射角を調整することができる。これによって、光記録媒体の情報記録面に光束が集光されるときに発生するコマ収差を補正することができる。
【００２０】
また本発明は、対物レンズは、対物レンズを支持するレンズホルダを介してハウジングに支持され、
レンズホルダは、ハウジングと一体的に形成されることを特徴とする。
【００２１】
本発明に従えば、対物レンズを支持するレンズホルダとハウジングとが一体的に形成される光ピックアップ装置を製造することができる。
【００２２】
また本発明は、レンズホルダは、ハウジングの予め定める基準位置に着脱可能に設けられることを特徴とする。
【００２３】
本発明に従えば、レンズホルダがハウジングの予め定める基準位置に着脱可能に設けられるので、レンズホルダの交換が可能となる。
【００２４】
また本発明は、対物レンズを通過した光束が、光記録媒体が配置されるべき仮想平面上で集光するように、発光素子を基準軸線に沿うようにスライド変位させて、発光素子の位置を調整して組立てることを特徴とする。
【００２５】
本発明に従えば、発光素子を基準軸線に沿うようにスライド変位させて、発光素子の位置を調整して光ピックアップ装置を組立てることによって、対物レンズの焦点と情報記録面が配置される位置とを一致させることができる。
【００２６】
また本発明は、発光素子から出射された光束を受光する受光手段の受光状態に基づいて、発光素子の姿勢を調整することを特徴とする。
【００２７】
本発明に従えば、受光手段の受光状態に基づいて発光素子の姿勢が調整されるので、実際に発光素子から出射された光束の強度または出射角度などに基づいて発光素子の姿勢を調整することができる。
【００２８】
また本発明は、前記本発明の光ピックアップ装置の製造方法によって製造されることを特徴とする光ピックアップ装置である。
【００２９】
本発明に従えば、前述の作用を達成する光ピックアップ装置の製造方法によって製造される光ピックアップ装置を得ることができる。
【００３０】
また本発明は、前記本発明の光ピックアップ装置を備えることを特徴とする電子機器である。
【００３１】
本発明に従えば、電子機器は、前述の作用を達成する光ピックアップ装置を備えることができる。
【発明の効果】
【００３２】
本発明によれば、発光素子を基準軸線に対して垂直な軸線回りに角変位させて、発光素子の姿勢を調整して光ピックアップ装置を組立てることによって、発光素子を基準軸線に対して垂直な軸線回りに角変位させて発光素子の姿勢調整が発光素子から出射される光束のうち、強度が最も大きい光が対物レンズの中心を通過するように調整することができるので、対物レンズの中心を通過し、強度が最も大きい光を、光記録媒体の情報記録面に集光させることができる光ピックアップ装置を製造することができる。これによって、光記録媒体の情報記録面に形成され情報が記録される案内溝であるグルーブに対して強度の大きい光を照射することができるので、発光素子から出射される光束のうち、強度が最も大きい光が対物レンズの中心から外れる場合よりも、ＳＮ比が向上し、再生特性および記録特性に優れる光ピックアップ装置を製造することができる。
【００３３】
また本発明によれば、発光素子を基準軸線に略垂直な方向にスライド変位させて発光素子の位置を調整して光ピックアップ装置が組立てられることによって、発光素子から出射された光束が、対物レンズの光軸上で集光するように、対物レンズへの入射角を調整することができる。これによって、光記録媒体の情報記録面に光束が集光されるときに発生するコマ収差を補正することができる。これによってコマ収差が発生することによるノイズを小さくすることができるので、発光素子の位置が調整されない場合に比べて、ノイズに対する電気信号の比率であるＳＮ比を大きくすることができる。また発光素子を基準軸線に略垂直な方向にスライド変位させて発光素子の位置が調整されると、対物レンズの位置および姿勢を調整することなく収差を補正することができるので、光ピックアップ装置の製造において、対物レンズの位置調整および姿勢調整の工程が不要となる。
【００３４】
また本発明によれば、対物レンズを支持するレンズホルダとハウジングとが一体的に形成される光ピックアップ装置を製造することができるので、レンズホルダとハウジングとが別々に設けられる光ピックアップ装置よりも、部品点数を削減することができる。
【００３５】
また本発明によれば、レンズホルダがハウジングの予め定める基準位置に着脱可能に設けられるので、レンズホルダの交換が可能となる。これによって、たとえば対物レンズに汚れ、傷などが発生したときに、対物レンズおよび対物レンズを支持するレンズホルダを交換することができるので、レンズホルダの交換が不可能である場合に比べて光ピックアップ装置の長寿命化を図ることができる。
【００３６】
また本発明によれば、発光素子を基準軸線に沿うようにスライド変位させて、発光素子の位置を調整して光ピックアップ装置を組立てることによって、対物レンズの焦点と情報記録面が配置される位置とを一致させることができる。これによって、光記録媒体の情報記録面に集光される光束のスポット径を調整することができ、次世代光ディスク（たとえば、Blu-ray Disk）などの高密度光記録媒体に対しても光束のスポット径を小さくし、ノイズの少ない良好な記録再生特性を発揮することができる。
【００３７】
また本発明によれば、受光手段の受光状態に基づいて発光素子の姿勢が調整されるので、実際に発光素子から出射された光の強度または出射角度などに基づいて発光素子の姿勢を調整することができる。これによって、部品公差などのように理想的な設計と実際の設計とで誤差が生じても、発光素子の姿勢を、ＳＮ比が最も高い最良の受光状態が得られる姿勢に近づけるように調整することができる。
【００３８】
また本発明によれば、前述の効果を達成する光ピックアップ装置の製造方法によって製造される光ピックアップ装置を得ることができる。このような光ピックアップ装置は、対物レンズの中心を通過する強度が最も大きい光を、光記録媒体の情報記録面に集光される光束のスポット中心とすることができるので、強度が最も大きい光が対物レンズの中心から外れるような光ピックアップ装置よりも記録特性および再生特性に優れる。
【００３９】
また本発明によれば、電子機器は、前述の効果を達成する光ピックアップ装置を備えることができる。これによって、電子機器による記録特性および再生特性を向上することができる。
【発明を実施するための最良の形態】
【００４０】
図１は、本発明の実施の一形態である光ピックアップ装置の製造方法によって製造される光ピックアップ装置１１を模式的に示す断面図である。本実施形態の光ピックアップ装置１１の製造方法は、予め定める基準軸線１２と、対物レンズ１３の光軸および発光素子である受発光一体型素子１４の出射光軸１５とが略一致するように対物レンズ１３および受発光一体型素子１４が設けられ、受発光一体型素子１４から出射される光束を対物レンズ１３によって光記録媒体１６の情報記録面１６ａに集光させて光記録媒体１６に情報を記録し、または光記録媒体１６に記録される情報を読取る光ピックアップ装置１１の製造方法であって、受発光一体型素子１４から出射される光束のうち、強度が最も大きい光が対物レンズ１３の中心を通過するように、受発光一体型素子１４を基準軸線１２に対して垂直な軸線回りに角変位させて、受発光一体型素子１４の姿勢を調整して光ピックアップ装置１１を組立てることを特徴とする。
【００４１】
各光学部材は、予め定める基準軸線１２と受発光一体型素子１４の出射光軸１５とが略一致するように配置されるけれども、図１では、理解を容易にするために基準軸線１２と出射光軸１５とをずらして記載する。また図１において、受発光一体型素子１４と立上ミラー１７との間における基準軸線１２の延びる方向をＺ軸方向、Ｚ軸方向に垂直であり、互いに直交する方向をＸ軸方向およびＹ軸方向とする。立上ミラー１７と対物レンズ１３との間における基準軸線１２の延びる方向は、Ｙ軸方向に一致する。
【００４２】
本実施形態の光ピックアップ装置の製造方法によって製造される光ピックアップ装置１１は、コンパクトディスク（Compact Disk；略称：ＣＤ）、デジタルバーサタイルディスク（Digital Versatile Disk；略称：ＤＶＤ）および次世代光ディスク（たとえば、Blu-ray Disk）などの光記録媒体１６に対して情報を記録し、光記録媒体１６に記録される情報を読取る（以後、再生とも呼ぶ）電子機器である光記録媒体記録再生装置に備えられる。光ピックアップ装置１１は、受発光一体型素子１４と、受発光一体型素子１４から出射された光を平行光に変換するコリメートレンズ１８と、コリメートレンズ１８からの光を反射して対物レンズ１３に導く立上ミラー１７と、立上ミラー１７からの光を、光記録媒体１６の情報記録面１６ａに集光する対物レンズ１３と、立上ミラー１７と対物レンズ１３との間に配置される収差補正用液晶素子１９とを含んで構成される。対物レンズ１３はレンズホルダ２０に支持される。光ピックアップ装置１１において、光記録媒体１６を除く各光学部材は、ハウジング２１に収容される。
【００４３】
図２は、光ピックアップ装置１１に備えられる受発光一体型素子１４の構成を概略的に示す断面図である。受発光一体型素子１４は、光を出射する発光素子１４である。受発光一体型素子１４は、光を出射する光源である半導体レーザチップ２２と、光記録媒体１６の情報記録面１６ａに集光され、光記録媒体１６の情報記録面１６ａで反射された光を受光する受光素子２３と、基台であるステム２４とを含んで構成される。
【００４４】
ステム２４は、熱伝導性に優れる銅またはアルミニウムなどの金属によって形成され、直径が約５〜６ｍｍの略円盤形状を有する。ステム２４の一方の面２４ａには、ステム２４と同様に熱伝導性に優れる銅またはアルミニウムなどで形成される金属製のキャップ２５が設けられる。キャップ２５には、半導体レーザチップ２２からコリメートレンズ１８に向けて出射される光が通過するための光学窓２６が形成される。光学窓２６には、光記録媒体１６の情報記録面１６ａで反射された光を回折する回折格子２７が設けられる。またステム２４とキャップ２５とによって形成される空間には、放熱台２８と受光素子２３とが固定され、放熱台２８には熱伝導性を有する接着剤によって半導体レーザチップ２２が貼付される。
【００４５】
光を出射する光源である半導体レーザチップ２２は、リードピン２９を介して電力が供給されることによって、たとえば、波長６５０ｎｍの赤色レーザ光を出射する。半導体レーザチップ２２および受光素子２３は、リードピン２９によって、フレキシブルプリント基板（ＦＰＣ；Flexible Print Circuit）などの配線基板を介して、外部回路と電気的に接続される。
【００４６】
受発光一体型素子１４は、ハウジング２１の一側部２１ａに形成され厚み方向に貫通する貫通孔３０に挿通される状態で姿勢調整および位置調整され、接着剤３１によって固定される。本発明の光ピックアップ装置の製造方法における特徴である受発光一体型素子１４の姿勢調整および位置調整の方法については後述する。
【００４７】
光ピックアップ装置１１のハウジング２１は、たとえば、アルミニウム、亜鉛またはマグネシウムなどの熱伝導性に優れる金属製の中空部材であって、情報の記録または再生が可能なように装着された状態の光記録媒体１６を臨むようにして設けられる。またハウジング２１は、コリメートレンズ１８、立上ミラー１７、収差補正用液晶素子１９および対物レンズ１３などの光学部材を収容し装着するとともに、受発光一体型素子１４が装着される基台である。ハウジング２１に形成される貫通孔３０に、受発光一体型素子１４が挿通されて固定される。
【００４８】
またハウジング２１には、受発光一体型素子１４に形成される光学窓から出射される光の進行方向に、予め定める基準軸線１２と、コリメートレンズ１８の光軸、対物レンズ１３の光軸および受発光一体型素子１４の出射光軸１５とが略一致するように、受発光一体型素子１４ならびに対物レンズ１３、コリメートレンズ１８および立上ミラー１７などの各光学部材が設けられる。本実施形態の光ピックアップ装置の製造方法は、受発光一体型素子１４の基準軸線１２に対する姿勢および位置の調整方法に特徴を有し、この方法については後述する。
【００４９】
本実施形態では、図１に示す基準軸線１２は、立上ミラー１７の反射面において、光が反射される方向と同方向に曲げられ、受発光一体型素子１４と立上ミラー１７との間における基準軸線１２の延びる方向がＺ軸方向となり、立上ミラー１７と対物レンズ１３との間における基準軸線１２の延びる方向がＹ軸方向となる。受発光一体型素子１４と立上ミラー１７との間における基準軸線１２であるＺ軸は、たとえば、ハウジング２１の厚み方向に一致するように定められる。Ｙ軸は、Ｚ軸方向から入射した光が立上ミラー１７によって反射される方向に延びる軸である。Ｘ軸は、以上のようにして定められるＺ軸およびＹ軸に直交する軸である。
【００５０】
コリメートレンズ１８は、入射光を平行光にする光学部材である。立上ミラー１７は、コリメートレンズ１８を透過した光を反射面において反射し、対物レンズ１３に導く。
【００５１】
対物レンズ１３は、光記録媒体１６の情報記録面１６ａに光を集光する。対物レンズ１３は、レンズホルダ２０を介してハウジング２１に支持される。レンズホルダ２０は、磁性部材およびコイルを含む駆動手段３２によって、光記録媒体１６の厚み誤差、傾斜などによるフォーカス方向およびトラッキング方向の誤差を修正するように電磁気力によって駆動される。
【００５２】
受発光一体型素子１４の半導体レーザチップ２２から出射された光は、コリメートレンズ１８に入射されて平行光となり、立上ミラー１７で反射される。立上ミラー１７で反射された光は、対物レンズ１３によって光記録媒体１６の情報記録面１６ａに集光される。光記録媒体１６の情報記録面１６ａで反射された光は、再び対物レンズ１３に入射して立上ミラー１７で反射される。立上ミラー１７で反射された光は、コリメートレンズ１８を透過して受発光一体型素子１４に戻る。光記録媒体１６からの戻り光は、受発光一体型素子１４の回折格子２７で分光されて受発光一体型素子１４の受光素子２３に入射し、光信号から電気信号へと変換され、情報の再生、記録、消去およびサーボ信号として利用される。
【００５３】
このような光ピックアップ装置１１では、予め定める基準軸線１２と、コリメートレンズ１８および対物レンズ１３などの光学部材の光軸とが略一致するように、また予め定める基準軸線１２と、受発光一体型素子１４の出射光軸１５とが略一致するように、たとえば受発光一体型素子１４のステム２４の一方の面２４ａが予め定める基準軸線１２に対して垂直になるように、受発光一体型素子１４が設けられるけれども、理想的な設計と実際の設計との誤差、光学部材の部品公差、および受発光一体型素子１４における半導体レーザチップ２２の貼付位置の誤差などによって、予め定める基準軸線１２と、光学部材の光軸と、受発光一体型素子１４の出射光軸１５とがずれることがある。このような基準軸線１２と、光学部材の光軸および受発光一体型素子１４の出射光軸１５とのずれによって、対物レンズ１３に入射する光が対物レンズ１３中心において最大強度とならず、光記録媒体１６への記録特性に影響を与える。
【００５４】
本実施形態の光ピックアップ装置１１の製造方法は、受発光一体型素子１４から出射される光束のうち、強度が最も大きい光が対物レンズ１３の中心を通過するように、受発光一体型素子１４を基準軸線１２に対して垂直な軸線回りに角変位させて、受発光一体型素子１４の姿勢を調整して光ピックアップ装置を組立てる。これによって、受発光一体型素子１４から出射される光束のうち、強度が最も大きい光が対物レンズ１３の中心から外れる場合よりも、光ピックアップ装置１１の記録特性および再生特性を向上することができる。ここで、対物レンズ１３の中心とは、対物レンズ１３の光学中心であり、対物レンズ１３の光軸と対物レンズ１３の情報の記録または再生が可能なように装着された状態の光記録媒体１６を臨む側の面との交点である。
【００５５】
図３は、姿勢を調整される受発光一体型素子１４の概略を示す斜視図である。図３において、受発光一体型素子１４と、図１に示す立上ミラー１７との間における基準軸線１２の延びる方向をＺ軸方向、Ｚ軸方向に垂直であって、互いに直交する２方向をＸ軸方向およびＹ軸方向とする。受発光一体型素子１４の姿勢は、受発光一体型素子１４を基準軸線１２であるＺ軸に対して垂直な軸線であるＸ軸回りおよびＺ軸に対して垂直なもう一つの軸線であるＹ軸回りに角変位させることによって調整される。受発光一体型素子１４の姿勢は、Ｘ軸回りまたはＹ軸回りのいずれか一方について調整されてもよい。
【００５６】
姿勢が調整される前の仮位置に配置される受発光一体型素子１４は、ステム２４の一方の面２４ａがＺ軸に対して垂直に設けられる。姿勢が調整される前の仮位置とは、たとえば、ハウジング２１の厚み方向に一致するように定められるＺ軸とコリメートレンズ１８の光軸とが一致するように、コリメートレンズ１８がハウジング２１に固定されて設けられ、Ｚ軸方向から入射する光を反射する位置に、立上ミラー１７がハウジング２１に固定されて設けられ、Ｚ軸方向から入射した光が立上ミラー１７によって反射される方向であるＹ軸方向と、対物レンズ１３の光軸とが一致するように、対物レンズ１３がレンズホルダ２０を介してハウジング２１に設けられる状態において、ステム２４の一方の面２４ａがＺ軸に対して垂直になるように、受発光一体型素子１４が配置される位置である。
【００５７】
Ｘ軸あおり方向とは、前記仮位置に配置されるステム２４の一方の面２４ａに垂直な仮想軸線を、Ｙ軸回りに角変位させる方向であって、Ｚ軸に対してＸ−Ｚ平面内で角変位させる方向である。Ｙ軸あおり方向とは、前記仮位置に配置されるステム２４の一方の面２４ａに垂直な仮想軸線を、Ｘ軸回りに角変位させる方向であって、Ｚ軸に対してＹ−Ｚ平面内で角変位させる方向である。
【００５８】
図４は受発光一体型素子１４から出射され、対物レンズ１３に入射した光束のＸ軸あおり方向における光強度分布を示すグラフであり、図５は受発光一体型素子１４から出射され、対物レンズ１３に入射した光束のＹ軸あおり方向における光強度分布を示すグラフである。光束の光強度は、動作温度（ステム２４の温度）Ｔｃ＝２５℃、発光強度Ｐｏ＝５０ｍＷで波長６５０ｎｍの連続波（Continuous Wave；ＣＷ）のレーザ光を出射して、測定した。
【００５９】
光強度の測定では、受発光一体型素子１４のステム２４の一方の面２４ａが基準軸線１２に対して垂直となるように、また基準軸線１２が受発光一体型素子１４の半導体レーザチップ２２の光出射部中心を通るような前述の仮位置に受発光一体型素子１４が配置される。
【００６０】
図４において、縦軸は光強度を表し、横軸はＸ軸あおり方向における広がり角度Δθ//（以後、Ｘ軸あおり角度Δθ//とも呼ぶ）を表す。Ｘ軸あおり角度Δθ//とは、Ｙ軸方向からＸ−Ｙ平面に投影したときの仮位置に配置されるステム２４の一方の面２４ａに垂直な仮想軸線と、Ｚ軸とが成す角度である。Ｘ軸とＺ軸との交点は、半導体レーザチップ２２の光出射部中心に一致する。
【００６１】
たとえばＸ軸あおり角度Δθ//＝０°における光強度は、受発光一体型素子１４に対する半導体レーザチップ２２の貼付位置と、理想的な貼付位置とに誤差がない場合、受発光一体型素子１４からの出射光軸１５とＺ軸とが成す角度が０°である受発光一体型素子１４から出射された光束の光軸部分の光強度と一致する。
【００６２】
図４におけるΔθ//の正負は、次のように定められる。まずΔθ//が正となる方向は、図３においてＹ軸方向からＸ−Ｚ平面に投影したときの仮位置に配置されるステム２４の一方の面２４ａに垂直な仮想軸線がＸ軸方向の正方向側に位置するときの方向である。またΔθ//が負となる方向は、図３においてＹ軸方向からＸ−Ｚ平面に投影したときの仮位置に配置されるステム２４の一方の面２４ａに垂直な仮想軸線がＸ軸方向の負方向側に位置するときの方向である。Ｘ軸の正方向は図３における紙面の上方向である。
【００６３】
また図５において、縦軸は光強度を表し、横軸はＹ軸あおり方向における広がり角度Δθ⊥（以後、Ｙ軸あおり角度Δθ⊥とも呼ぶ）を表す。Ｙ軸あおり角度Δθ⊥とは、Ｘ軸方向からＹ−Ｚ平面に投影したときの仮位置に配置されるステム２４の一方の面２４ａに垂直な仮想軸線と、Ｚ軸とが成す角度である。Ｙ軸とＺ軸との交点は、半導体レーザチップ２２の光出射部中心に一致する。
【００６４】
Ｙ軸あおり角度Δθ⊥＝０°における光強度は、受発光一体型素子１４に対する半導体レーザチップ２２の貼付位置と、理想的な貼付位置とに誤差がない場合、受発光一体型素子１４からの出射光軸１５とＺ軸とが成す角度が０°である受発光一体型素子１４から出射された光束の光軸部分の光強度と一致する。
【００６５】
図４におけるΔθ⊥の正負は、次のように定められる。まずΔθ⊥が正となる方向は、図３においてＸ軸方向からＹ−Ｚ平面に投影したときの仮位置に配置されるステム２４の一方の面２４ａに垂直な仮想軸線がＹ軸方向の正方向側に位置するときの方向である。またΔθ⊥が負となる方向は、図３においてＸ軸方向からＹ−Ｚ平面に投影したときの仮位置に配置されるステム２４の一方の面２４ａに垂直な仮想軸線がＹ軸方向の負方向側に位置するときの方向である。Ｙ軸の正方向は図３における紙面の右方向である。
【００６６】
受発光一体型素子１４から出射された光束は、受発光一体型素子１４に対する半導体レーザチップ２２の貼付位置と、理想的な貼付位置とに誤差がない場合、Δθ⊥＝０°かつΔθ//＝０°の部分において発光強度Ｐｏに等しいピーク強度（最大強度）を有するけれども、受発光一体型素子１４に対する半導体レーザチップ２２の貼付位置と、理想的な貼付位置とに誤差がある場合、図４および図５に示すように、対物レンズ１３に入射した光束のピーク強度が得られる部分が、Δθ⊥＝０°かつΔθ//＝０°の部分から外れる。
【００６７】
具体的には、図４において対物レンズ１３に入射した光束のピーク強度が得られる部分は、Ｘ軸あおり角度Δθ//が−０．６°〜−０．４°の範囲に含まれる部分であり、半導体レーザチップ２２から出射される光束の光軸は、Ｘ軸あおり角度Δθ//が−０．６°〜−０．４°である部分に存在することが判る。したがって、受発光一体型素子１４をＸ軸あおり方向について０．４°〜０．６°角変位させることによって、Ｘ軸あおり方向について、半導体レーザチップ２２から出射される光束の光軸を基準軸線１２に一致させることができるということが判る。
【００６８】
また図５において対物レンズ１３に入射した光束のピーク強度が得られる部分は、Ｙ軸あおり角度Δθ⊥が０．２°〜０．４°の範囲に含まれる部分であり、半導体レーザチップ２２から出射される光束の光軸は、Ｙ軸あおり角度Δθ⊥が０．２°〜０．４°である部分に存在することが判る。したがって、受発光一体型素子１４をＹ軸あおり方向について−０．４°〜−０．２°角変位させることによって、Ｙ軸あおり方向について、半導体レーザチップ２２から出射される光束の光軸を基準軸線１２に一致させることができるということが判る。
【００６９】
本実施形態では、受発光一体型素子１４をＸ軸あおり方向について０．４°〜０．６°角変位させ、Ｙ軸あおり方向について−０．４°〜−０．２°角変位させる。このようなＹ軸回りに受発光一体型素子１４を角変位するＸ軸方向のあおり調整と、Ｘ軸回りに受発光一体型素子１４を角変位するＹ軸方向のあおり調整とによって、受発光一体型素子１４の姿勢を調整する。この姿勢調整によって、受発光一体型素子１４から出射される光の出射光軸方向を変化させることができ、受発光一体型素子１４から出射される光束の光軸を、たとえば基準軸線１２であるＺ軸に一致させることによって、出射光束のうち強度が最も大きい光が対物レンズ１３の中心を通過するように、受発光一体型素子１４から光を出射することができる。
【００７０】
本実施形態では、受発光一体型素子１４から出射される光束の光軸を、たとえば基準軸線１２であるＺ軸に一致させるように受発光一体型素子１４の姿勢を調整するけれども、受発光一体型素子１４の姿勢は、受発光一体型素子１４から出射される光束の光軸を、基準軸線１２であるＺ軸に一致させるように調整されることに限定されない。本発明の光ピックアップ装置の製造方法では、予め定める基準軸線１２と、対物レンズ１３の光軸および受発光一体型素子１４の出射光軸１５とが略一致するように対物レンズ１３および受発光一体型素子１４が設けられる。ここで、「略一致」とは、一致する状態および受発光一体型素子１４から出射される光束の光軸を基準軸線１２からずらした状態を含む。
【００７１】
前述のように、対物レンズ１３に入射する光束のうち最大強度の光が、対物レンズ１３の中心を通過しないということは、半導体レーザチップ２２の貼付位置の誤差だけでなく、理想的な設計と実際の設計との誤差、理想的な組立と実際の組立との誤差および光学部材の部品公差などによっても生じる。設計誤差、組立誤差および光学部材の部品公差などによって対物レンズ１３中心に最大強度の光を入射させることができない場合、受発光一体型素子１４から出射される光束の光軸を基準軸線１２からずらすことによって対物レンズ１３中心に最大強度の光を入射させることができる可能性がある。
【００７２】
このような場合、受発光一体型素子１４の姿勢は、発光素子から出射される光束のうち、強度が最も大きい光が対物レンズの中心を通過するように、たとえば、受発光一体型素子１４から出射された光束を受光する後述の受光手段の受光状態に基づいて調整されることが好ましい。受発光一体型素子１４から出射された光束を受光する受光手段の受光状態に基づいて受発光一体型素子１４の姿勢を調整する方法の詳細については後述する。
【００７３】
本実施形態では、Ｘ軸あおり調整およびＹ軸あおり調整による受発光一体型素子１４の姿勢調整に加えて、受発光一体型素子１４から出射された光束が、対物レンズ１３の光軸上で集光するように、受発光一体型素子１４を基準軸線１２に略垂直な方向にスライド変位させて、受発光一体型素子１４の位置を調整して光ピックアップ装置１１を組立てる。本実施形態では、基準軸線１２に略垂直な方向についての受発光一体型素子１４のスライド変位は、基準軸線１２であるＺ軸に垂直なＸ軸方向およびＹ軸方向についてのスライド変位を含む。
【００７４】
Ｘ軸方向およびＹ軸方向についてのスライド変位によって受発光一体型素子１４の位置が調整されると、次のようにして、光記録媒体１６の情報記録面１６ａに光束が集光されるときに発生するコマ収差などの収差を補正することができる。受発光一体型素子１４をＸ軸方向およびＹ軸方向についてスライド変位させて位置調整することによって、コリメートレンズへの入射光の入射位置が変化し、受発光一体型素子から出射され、コリメートレンズ１８に入射する光の入射角が変化する。これによって、コリメートレンズ１８から出射される光は、Ｚ軸方向に対して傾斜する。コリメートレンズ１８から出射された光は、立上ミラー１７および収差補正用液晶素子１９を介して対物レンズ１３に入射する。このとき、対物レンズ１３に入射する光束の光軸は、対物レンズ１３の光軸に対して傾斜する。
【００７５】
以上のように、Ｘ軸方向およびＹ軸方向についてのスライド変位によって受発光一体型素子１４の位置を調整することによって、光記録媒体１６の情報記録面１６ａに光束が集光されるときに発生するコマ収差などの収差を補正することができ、大きい信号強度を得ることができるので、受発光一体型素子１４のＸ軸方向およびＹ軸方向についてのスライド変位によって位置が調整されない場合に比べて、ノイズに対する電気信号の比率であるＳＮ比を大きくすることができる。また受発光一体型素子１４を基準軸線１２に垂直な方向であるＸ軸方向およびＹ軸方向にスライド変位させて受発光一体型素子１４の位置が調整されると、対物レンズ１３の位置および姿勢を調整することなく収差を補正することができるので、光ピックアップ装置１１の製造において、対物レンズ１３の位置調整および姿勢調整の工程が不要となる。これによって、受発光一体型素子１４をハウジング２１に対して固定する前に、対物レンズ１３のハウジング２１に対する取付け位置を決定することができ、作業効率の向上を図ることができる。
【００７６】
さらに本実施形態では、対物レンズ１３を通過した光が、光記録媒体１６が配置されるべき仮想平面上、図４においては光記録媒体１６の情報記録面上で集光するように、受発光一体型素子１４を基準軸線１２であるＺ軸に沿うようにスライド変位させる。これによって、光記録媒体１６の情報記録面１６ａに集光される光束のスポット径を調整することができ、次世代光ディスク（たとえば、Blu-ray Disk）などの高密度光記録媒体に対しても、光のスポット径を小さくし、ノイズの少ない良好な記録再生特性を発揮することができる。
【００７７】
図６は、光ピックアップ装置１１と評価装置４０などとの電気的構成を表すブロック図である。光ピックアップ装置１１の対物レンズ１３で集光される光束は、発光素子である受発光一体型素子１４から出射された光を受光する受光手段である評価装置４０によって評価され、ケーブル４１によって評価装置４０と接続される制御装置４２に評価結果が入力される。制御装置４２は、光ピックアップ装置１１のハウジング２１に対する受発光一体型素子１４の姿勢および位置を調整する調整装置４３とケーブル４４によって接続され、調整装置４３の動作を制御する。また調整装置４３によって調整される受発光一体型素子１４の姿勢および位置のデータ、たとえばＸ軸あおり角度Δθ//およびＹ軸あおり角度Δθ⊥などの受発光一体型素子１４の姿勢に関するデータ、ならびにＸ−Ｙ平面内での座標などの受発光一体型素子１４の位置に関するデータが制御装置４２に入力される。
【００７８】
制御装置４２は、さらにパーソナルコンピュータ（ＰＣ）４５と電気的に接続され、評価装置４０によって得られる評価結果と、調整装置４３によって調整される受発光一体型素子１４の姿勢および位置のデータとを記憶し、評価装置４０によって得られる評価結果が最良となるような受発光一体型素子１４の姿勢および位置を決定する。制御装置４２は、ＰＣ４５によって決定された姿勢および位置となるように調整装置４３の動作を制御し、受発光一体型素子１４の姿勢および位置を調整する。
【００７９】
光ピックアップ装置１１の対物レンズ１３で集光される光束を評価する評価装置４０としては、たとえば、コリメートレンズ１８から出射される光のＺ軸に対する傾斜角度を測定する装置、対物レンズ１３から出射された光のコマ収差の発生を検査する装置、または対物レンズ１３に入射する光の強度を測定する装置などを用いることができる。このような評価装置４０としては、たとえば、シェアリング干渉計などの光学干渉計または光ピックアップ動作検査装置などを用いることができる。このように受発光一体型素子１４から出射された光を受光する受光手段である評価装置４０の受光状態に基づいて受発光一体型素子１４の姿勢を調整することによって、受発光一体型素子１４の姿勢を、出射された光束のうち、最も強度が大きい光が対物レンズ１３の中心を通過するような最適な姿勢にすることができる。
【００８０】
図７は、受発光一体型素子１４の姿勢および位置を調整する調整装置４３の概略を示す側面図である。図７（ａ）は受発光一体型素子１４および調整装置４３をＹ軸方向から見たときの側面図であり、図７（ｂ）は受発光一体型素子１４および調整装置４３をＸ軸方向から見たときの側面図である。
【００８１】
受発光一体型素子１４の姿勢および位置を調整する調整装置４３は、受発光一体型素子１４を着脱可能に把持する把持手段４６を備える。把持手段４６に把持される受発光一体型素子１４が固定されるべきハウジング２１は、基台に保持される。把持手段４６は、把持部４７において受発光一体型素子１４のステム２４部分を把持し、ハウジング２１に対して角変位および位置変位させることによって、受発光一体型素子１４の姿勢および位置を調整する。把持手段４６の把持部４７は、ハウジング２１の仮位置に配置される受発光一体型素子１４をＸ軸方向両側から挟持する。
【００８２】
調整装置４３は、調整用駆動手段によって把持手段４６を機械的に変位させる。調整装置４３は、把持部４７が受発光一体型素子１４を把持した状態で、ハウジング２１に対してＸ軸方向およびＹ軸方向にスライド変位させて受発光一体型素子１４の位置を調整する。また受発光一体型素子１４を基準軸線１２に対して垂直な軸線であるＸ軸回りおよびＹ軸回りに角変位させてＸ軸あおり調整およびＹ軸あおり調整し、受発光一体型素子１４の姿勢を調整する。さらに受発光一体型素子１４をＺ軸方向にスライド変位させて空間位置を調整する。
【００８３】
受発光一体型素子１４の姿勢および位置は、受発光一体型素子１４以外の光学部材がハウジング２１に固定され、受発光一体型素子１４のリードピン２９がＦＰＣなどの配線基板を介して外部回路と電気的に接続される状態で調整される。さらに受発光一体型素子１４は、ハウジング２１に対して受発光一体型素子１４から出射される光束の光軸が基準軸線１２に略一致するような前述の仮位置に、ステム２４の一方の面２４ａがＺ軸に対して垂直となるようにして配置される。
【００８４】
受発光一体型素子１４の姿勢および位置は、前述のように、評価装置４０の評価結果である受光手段の受光状態に基づいて調整される。受発光一体型素子１４の姿勢調整および位置調整が終了すると、受発光一体型素子１４は樹脂または金属ペーストなどの接着剤３１によってハウジング２１に固定される。受発光一体型素子１４が固定されると、把持手段４６による受発光一体型素子１４の把持を解除する。以上のようにして、受発光一体型素子１４の姿勢および位置を調整し、ハウジング２１に対して受発光一体型素子１４を固定する。
【００８５】
図８は、受発光一体型素子１４の姿勢および位置を調整するときの制御装置４２の制御手順を示すフローチャートである。制御装置４２は、たとえば本実施形態の姿勢および位置調整手順に従って、ハウジング２１に対する姿勢および位置を調整するように調整装置４３を制御し、これによって受発光一体型素子１４のハウジング２１に対する姿勢および位置を調整する。ステップｓ０において、受発光一体型素子１４の調整手順が開始されるとステップｓ１に進む。
【００８６】
ステップｓ１において、制御装置４２は、受発光一体型素子１４を把持手段４６の把持部４７によって把持するように、調整装置４３の動作を制御する。ステップｓ１では、調整装置４３に対して指令を与え、受発光一体型素子１４を把持手段４６の把持部４７によって把持させる。これによって受発光一体型素子１４が把持部４７によってＸ軸方向両側から挟持される。ステップｓ１において、受発光一体型素子１４を把持手段４６によって把持させると、ステップｓ２に進む。
【００８７】
ステップｓ２において制御装置４２は、受発光一体型素子１４を前述の仮位置に配置させるように、調整装置４３の動作を制御する。ステップｓ２では、前述のように予め定める基準軸線１２と、光学部材の光軸とが一致するように光学部材が設けられたハウジング２１に、受発光一体型素子１４のステム２４の一方の面２４ａがＺ軸に対して垂直となるような仮位置に、調整手段４３によって受発光一体型素子１４を配置させる。ステップｓ２において、調整手段４３によって受発光一体型素子１４を仮位置に配置させると、ステップｓ３に進む。
【００８８】
ステップｓ３において、制御装置４２は、受発光一体型素子１４のＸ軸方向およびＹ軸方向の位置を調整するように、調整装置４３を制御する。ステップｓ３では、評価装置４０の評価結果と、調整装置４３で得られる受発光一体型素子１４の位置データとに基づいて、受発光一体型素子１４のＸ−Ｙ平面内での位置を調整し、評価装置４０による評価結果が最良となる位置、たとえばＳＮ比が最も高くなる位置に、受発光一体型素子１４を配置させる。ステップｓ３において、受発光一体型素子１４のＸ軸方向およびＹ軸方向の位置を調整手段４３によって調整させると、ステップｓ４に進む。
【００８９】
ステップｓ４において、制御装置４２は、受発光一体型素子１４の姿勢を調整するように、調整装置４３を制御する。ステップｓ４では、評価装置４０の評価結果と、調整装置４３で得られる受発光一体型素子１４の姿勢データとに基づいて、Ｘ軸あおり方向およびＹ軸あおり方向について受発光一体型素子１４の姿勢を調整し、評価装置４０による評価結果が最良となるように、たとえばＳＮ比が最も高くなるように、調整手段４３によって受発光一体型素子１４の姿勢を調整させる。ステップｓ４において、受発光一体型素子１４の姿勢を調整手段４３によって調整させると、ステップｓ５に進む。
【００９０】
ステップｓ５において、制御装置４２は、受発光一体型素子１４のＺ軸方向の位置を調整するように、調整装置４３を制御する。ステップｓ５では、評価装置４０の評価結果と、調整装置４３で得られる受発光一体型素子１４の位置データとに基づいて、受発光一体型素子１４のＺ軸方向における位置を調整し、評価装置４０による評価結果が最良となる位置、たとえばＳＮ比が最も高くなる位置に、調整手段４３によって受発光一体型素子１４を配置させる。ステップｓ５において、調整手段４３によってＺ軸方向についての受発光一体型素子１４の位置を調整させると、ステップｓ６に進む。
【００９１】
ステップｓ６において、制御装置４２は、受発光一体型素子１４をハウジング２１に固定するように、不図示の塗布手段を制御する。ステップｓ６では、姿勢および位置調整後の受発光一体型素子１４が把持手段４６によって把持される状態で、不図示の塗布手段によって樹脂または金属ペーストなどの接着剤３１を塗布させ、この接着剤３１によって受発光一体型素子１４をハウジング２１に固定させる。ステップｓ６において、不図示の塗布手段によって受発光一体型素子１４をハウジング２１に固定させると、ステップｓ７に進む。
【００９２】
ステップｓ７において、制御装置４２は、受発光一体型素子１４の、把持手段４６の把持部４７による把持を解除するように、調整装置４３の動作を制御する。ステップｓ７において、調整装置４３による受発光一体型素子１４の把持を解除させると、ステップｓ８に進んで、すべての手順を終了する。
【００９３】
Ｘ軸方向およびＹ軸方向へのスライド変位によって受発光一体型素子１４の位置を調整するステップｓ３、Ｘ軸あおり方向およびＹ軸あおり方向への角変位によって受発光一体型素子１４の姿勢を調整するステップｓ４、およびＺ軸方向へのスライド変位によって受発光一体型素子１４の空間位置を調整するステップｓ５の処理動作は、いずれが先に実行されてもよい。
【００９４】
本実施形態では、まずステップｓ３において、受発光一体型素子１４をＸ軸方向およびＹ軸方向へスライド変位させることによって、発光素子から出射された光束が対物レンズの光軸上で集光するように位置調整し、光記録媒体１６に集光されるときの収差の発生を抑制する。次にステップｓ４において、受発光一体型素子１４をＸ軸あおり方向およびＹ軸あおり方向へ角変位させて姿勢を調整することによって、受発光一体型素子１４から出射される光束のうち、強度が最も大きい光が対物レンズ１３の中心を通過するように調整する。さらにステップｓ５において、受発光一体型素子１４をＺ軸方向へスライド変位させることによって、光記録媒体１６が配置されるべき仮想平面上で集光されるように調整する。
【００９５】
ステップｓ５の後、再びステップｓ３およびステップｓ４の処理動作を実行してもよい。これらのステップｓ３〜ｓ５の一連の手順を複数回繰返すことは、受発光一体型素子１４の姿勢および位置を、最良の受光状態を得ることができる姿勢および位置に一層近づけることができるので好ましい。
【００９６】
本実施形態の光ピックアップ装置１１の製造方法によれば、Ｘ軸あおり方向およびＹ軸あおり方向に角変位させて受発光一体型素子１４の姿勢が調整されて光ピックアップ装置１１が組立てられるので、受発光一体型素子１４から出射される光束のうち、強度が最も大きい光が対物レンズ１３の中心を通過する。これによって、対物レンズ１３の中心において強度が最も大きい光を、光記録媒体１６の情報記録面１６ａに集光させることができ、受発光一体型素子１４から出射される光束のうち、強度が最も大きい光が対物レンズ１３の中心から外れる場合よりも、光ピックアップ装置１１の記録再生特性を向上することができる。
【００９７】
また受発光一体型素子１４をＸ軸方向およびＹ軸方向にスライド変位させて受発光一体型素子１４の位置が調整されるので、受発光一体型素子１４から出射された光束を、対物レンズ１３の光軸上で集光させることができる。これによって、光記録媒体１６の情報記録面１６ａに光束が集光されるときに発生するコマ収差などの収差を補正することができ、受発光一体型素子１４の位置が調整されない場合に比べて、ノイズに対する電気信号の比率であるＳＮ比を大きくすることができる。
【００９８】
また受発光一体型素子１４をＺ軸方向にスライド変位させるので、対物レンズ１３を通過した光束を、光記録媒体１６が配置されるべき仮想平面上で集光させることができる。これによって、光記録媒体１６の情報記録面１６ａに集光される光束のスポット径を調整することができ、次世代光ディスク（たとえば、Blu-ray Disk）などの高密度光記録媒体に対しても良好な記録再生特性を発揮することができる。
【００９９】
本実施形態の光ピックアップ装置１１の製造方法によって製造される光ピックアップ装置１１は、対物レンズ１３の中心において強度が最も大きい光を光記録媒体１６の情報記録面１６ａに集光させることができるので、強度が最も大きい光が対物レンズ１３の中心から外れるような光ピックアップ装置よりも優れた記録特性および再生特性を有する。
【０１００】
さらに本実施形態の光ピックアップ装置１１の製造方法によれば、受発光一体型素子１４の位置調整によって収差を補正することができるので、対物レンズ１３の位置および姿勢を調整する必要がない。ハウジングに対する取付け位置を調整すべき部材点数が削減できると、光学部材の取付作業が簡単になるとともに、作業時間の短縮化が可能となる。
【０１０１】
また対物レンズ１３の位置および姿勢の調整が不要となるので、光ピックアップ装置１１の製造の対物レンズ１３のなどを固定した後の最終段階で、受発光一体型素子１４の姿勢および位置を調整し、受発光一体型素子１４をハウジング２１に対して固定することができる。これによって、実際に再生動作などをさせながら、信号のバランスが最適となるように受発光一体型素子１４の姿勢および位置を調整することができ、たとえば対物レンズ１３と受発光一体型素子１４との両方を調整して信号のバランスを調整して組立てる光ピックアップ装置よりも容易に、記録再生特性に優れる光ピックアップ装置を組立てることができる。
【０１０２】
また対物レンズ１３をレンズホルダ２０の予め定める基準位置に設けるとともに、レンズホルダ２０をハウジング２１の予め定める基準位置で着脱可能に構成することができ、レンズホルダ２０の交換が可能となる。これによって、たとえば対物レンズ１３に汚れ、傷などが発生しても、対物レンズ１３および対物レンズ１３を支持するレンズホルダ２０を交換することができ、レンズホルダ２０の交換が不可能である場合に比べて光ピックアップ装置１１の長寿命化を図ることができる。また対物レンズ１３の交換後も、対物レンズ１３の位置および姿勢を調整する必要がないので、煩雑な組立作業を回避することができ、作業時間の短縮化を図ることができる。
【０１０３】
さらに、光ピックアップ装置１１の受発光一体型素子１４に貼付される半導体レーザチップ２２の貼付位置に誤差があっても、その都度生じる誤差に応じて受発光一体型素子１４の姿勢および位置が調整されるので、受発光一体型素子１４に対する半導体レーザチップ２２の貼付位置の精度を緩和することができ、作業者によるチップ貼付精度の追い込みを緩和することができる。さらに受発光一体型素子１４の最適な姿勢および位置は、光学部材の取付位置および部品公差などにも応じて決定されるので、光学部材の取付位置、大きさおよび形状などが厳密に設定される光ピックアップ装置に比べて、光学部材の取付位置および部品公差についての精度を緩和することができる。これによって、光学部材の歩留を良好にすることができ、光ピックアップ装置の歩留についても良好にすることができる。
【０１０４】
このような光ピックアップ装置１１の製造方法の構成は、上記の構成に限定されることなく、種々の変更が可能である。また図１に示す光ピックアップ装置１１の構成についても、上記の構成に限定されることなく、種々の変更が可能である。
【０１０５】
たとえば、受発光一体型素子１４の姿勢および位置は、評価装置４０による評価結果に基づいて調整されることに限定されることなく、実際に光記録媒体１６の再生動作をさせるか、または光記録媒体１６への記録動作をさせ、受発光一体型素子１４に含まれる受光素子２３の受光状態に基づいて調整されてもよい。これによって、受光素子２３の貼付位置精度についても検査することができ、半導体レーザチップ２２の貼付位置および受光素子２３の貼付位置とに応じた受発光一体型素子１４の姿勢および位置を決定することができる。
【０１０６】
また本実施形態では、半導体レーザチップ２２と受光素子２３とが備えられる受発光一体型素子１４が用いられる構成であるけれども、この構成に限定されることなく、受光素子２３が半導体レーザチップ２２を含む発光素子と別々に設けられる構成であってもよい。
【０１０７】
図９は、本発明のもう１つの他の実施形態である光ピックアップ装置の製造方法によって製造される光ピックアップ装置５１を模式的に示す断面図である。本実施形態の光ピックアップ装置５１は、前述の実施形態の光ピックアップ装置１１に類似し、同一の構成である部分については同一の参照符号を付してその説明を省略する。
【０１０８】
本実施形態の光ピックアップ装置５１の製造方法は、対物レンズ１３を支持するレンズホルダ５２が、フォーカスおよびトラッキング制御用のワイヤ５４を介して、ハウジング５３と一体的に形成されることを特徴とする。本実施形態の光ピックアップ装置５１は、前述の光ピックアップ装置１１と同様に、姿勢および位置が調整された受発光一体型素子１４を備えるので、対物レンズ１３を支持するレンズホルダ５２の姿勢および位置を調整しなくてもよい。これによって、対物レンズ１３を支持するレンズホルダ５２をハウジング５３と一体化することができる。
【０１０９】
このような光ピックアップ装置５１の製造方法では、レンズホルダ５２とハウジング５３とが一体的に形成されるので、レンズホルダとハウジングとが別々に設けられる場合よりも部品点数を削減することができ、組立作業が簡単になるとともに、コスト低減を図ることができる。
【図面の簡単な説明】
【０１１０】
【図１】本発明の実施の一形態である光ピックアップ装置の製造方法によって製造される光ピックアップ装置１１を模式的に示す断面図である。
【図２】光ピックアップ装置１１に備えられる受発光一体型素子１４の構成を概略的に示す断面図である。
【図３】姿勢を調整される受発光一体型素子１４の概略を示す斜視図である。
【図４】受発光一体型素子１４から出射され、対物レンズ１３に入射した光束のＸ軸あおり方向における光強度分布を示すグラフである。
【図５】受発光一体型素子１４から出射され、対物レンズ１３に入射した光束のＹ軸あおり方向における光強度分布を示すグラフである。
【図６】光ピックアップ装置１１と評価装置４０などとの電気的構成を表すブロック図である。
【図７】受発光一体型素子１４の姿勢および位置を調整する調整装置４３の概略を示す側面図である。
【図８】受発光一体型素子１４の姿勢および位置を調整するときの制御装置４２の制御手順を示すフローチャートである。
【図９】本発明のもう１つの他の実施形態である光ピックアップ装置の製造方法によって製造される光ピックアップ装置５１を模式的に示す断面図である。
【図１０】従来の光ピックアップ装置１を模式的に示す断面図である。
【符号の説明】
【０１１１】
１１，５１  光ピックアップ装置
１２  基準軸線
１３  対物レンズ
１４  受発光一体型素子
１５  出射光軸
１６  光記録媒体
１７  立上ミラー
１８  コリメートレンズ
１９  収差補正用液晶素子
２０，５２  レンズホルダ
２１，５３  ハウジング
２２  半導体レーザチップ
２３  受光素子
２４  ステム
２５  キャップ
２６  光学窓
２７  回折格子
２８  放熱台
２９  リードピン
３０  貫通孔
３１  接着剤
３２  駆動手段
４０  評価装置
４１，４４  ケーブル
４２  制御装置
４３  調整装置
４５  パーソナルコンピュータ
４６  把持手段
４７  把持部
【図１】
2007200380.tif 000003
【図２】
2007200380.tif 000004
【図３】
2007200380.tif 000005
【図４】
2007200380.tif 000006
【図５】
2007200380.tif 000007
【図６】
2007200380.tif 000008
【図７】
2007200380.tif 000009
【図８】
2007200380.tif 000010
【図９】
2007200380.tif 000011
【図１０】
2007200380.tif 000012